(57)【要約】【課題】作業により発生する研磨粉や切削屑を袋状のフィルター・ユニット内部に確実に満杯になるように効果的に捕捉することのできる集塵機を提供する。【解決手段】フィルター・ユニット４と、フィルター・ユニット４の入口開口６に挿入されてフィルター本体４ａの内外にわたって延びる吸塵パイプ３と、フィルター本体４ａの下方から空気を吸引する吸引機８と、フィルター係止用ハンガ７とを備える。フィルター・ユニット４は、上下方向に延びる袋状のフィルター本体４ａの上部に入口開口６が設けられた入口部４ｂを有し、入口部４ｂは、フィルター本体４ａに固定されて入口開口６を開く方向に保持する入口保持部材２３を有し、入口保持部材２３に、ハンガ７に係脱自在に係止されてフィルター・ユニット４を吊り下げ状態に保持させる係止部２３ｃが形成されている。【選択図】  図１
2005040939.tif 000002
【特許請求の範囲】
【請求項１】
上下方向に延びる袋状のフィルター本体と、
このフィルター本体の上部に設けられ、空気を袋の内方空間に吸入するための吸塵パイプを挿入させる入口開口が設けられた入口部とを有し、
前記入口部は、前記フィルター本体に固定されて前記入口開口を開く方向に保持する入口保持部材を有し、
前記入口保持部材に、前記フィルター本体を吊り下げ状態に保持させるための係止部が形成されているフィルター・ユニット。
【請求項２】
請求項１において、前記入口部は、前記入口保持部材と前記フィルター本体との間に介挿されて前記挿入される吸塵パイプの外周面と前記入口開口との間をシールするシール部材を有しているフィルター・ユニット。
【請求項３】
請求項１または２において、前記入口保持部材の前部の左右両側に、手でつかむ握持部が形成されているフィルター・ユニット。
【請求項４】
請求項１，２または３のいずれか一項に記載のフィルター・ユニットと、
このフィルター・ユニットの入口開口に挿入されてフィルター本体の内外にわたって延びる吸塵パイプと、
前記フィルター本体の下方から空気を吸引する吸引機とを備えた集塵機。
【請求項５】
請求項４において、前記吸塵パイプにおける前記フィルター本体の幅方向に対向する両側部にパイプ軸心方向に延びるスリットが形成されている集塵機。
【請求項６】
請求項４または５において、さらに、前記フィルター・ユニットの係止部が係脱自在に係止されるフィルター係止用ハンガを備えた集塵機。
【請求項７】
請求項６において、前記係止部は前後一対設けられており、前記フィルター係止用ハンガは、下端に前記係止部が前記入口保持部材の復元力により係止される前後のフック部を有するボディと、前記ボディに回動自在に支持された前後一対の第１および第２スイングプレートとを有し、前記第１スイングプレートに、作動方向に操作力を受けて第１スイングプレートを回動させることにより前側の係止部を前側のフック部から離脱させる操作部が設けられ、前記第２スイングプレートに、前記第１スイングプレートの作動方向への回動により回動力を受けて後側の係止部を後側の前記フック部から離脱させる連動部が設けられている集塵機。
【請求項８】
請求項７において、前記第２スイングプレートによる後側の係止部の離脱が前記第１スイングプレートによる前側の前記係止部の離脱と同時またはこれよりも早く生じるように設定されている集塵機。
【請求項９】
作業プレートと、前記作業プレート上の空気を導入する導入通路と、請求項４から８のいずれか一項に記載の集塵機とを備え、この集塵機の吸塵パイプが前記導入通路の出口に連結されている作業台。
【発明の詳細な説明】
【技術分野】
【０００１】
本発明は、主として比較的小さなワークの研磨作業や切削作業を行う際に発生する研磨粉や、切削屑等を飛散しないようにフィルター内に集めるフィルター・ユニット、それを備えた集塵機および作業台に関するものである。
【背景技術】
【０００２】
例えば、歯科技工士は、義歯などのワークをエアーグラインダ（ハンドピース）などの工具で研磨や切削を行うが、この作業時に研磨粉や切削屑等（以下、塵埃と称する）が発生する。このような塵埃の飛散を防止しながら作業を行うために、従来、図１２（ａ）に示すように、作業台の作業プレート５０における後方側に吸塵口５１を持つ吸塵パイプ５２を設け、吸塵パイプ５２の排出口５５を作業プレート５０の下方の引出し部５３の内部空間５４に導き、この内部空間５４に収納した図１２（ｂ）に示す偏平な平面矩形の袋状のフィルター５７の入口部５６に連結し、図１２（ａ）の内部空間５４の前部を噴射ポンプ５８に接続したものがある。フィルター５７は、空気を通過させて塵埃のみを内部に捕捉できる網目状の濾材を幅方向Ｗの両側部５９，６０で融着して袋状に形成されたもので、作業に伴って生じる塵埃が内部に満杯となった時点で取り外して破棄される、使い捨てタイプである。
【０００３】
一方、本件出願人は、特に義歯などのワークの研磨や切削を行う場合に好適な前方開放型作業ボックスを先に提案している（特許文献１参照）。この前方開放型作業ボックスは、作業時に作業スペースに発生する塵埃をエアノズルから吹き付ける空気により作業スペースの後方に吹き飛ばして空気排気口を介し外部に排出する構成になっており、塵埃を周囲に飛散するのを確実に防止して効率的に排出できるものである。
【特許文献１】特開２００３−１２６１１８号公報
【発明の開示】
【発明が解決しようとする課題】
【０００４】
しかしながら、図１２に示した従来の袋状のフィルター５７は、机の引出し部５３内において横置きの水平状態の配置で入口部５６が吸塵パイプ５２の排出口５５に連結して取り付けられるので、フィルター５７の入口部５６から導入された塵埃は、横置きのフィルター５７の内面全体に向けて拡散されることになり、この内面全体に僅かな量の塵埃が付着した時点で早期に目詰まりを発生する。また、塵埃を含んだ空気の経路を形成する吸塵パイプ５２は、作業プレート５０の上面後方部から湾曲状に屈曲されて机の前方へ向け方向変更されたのち、机の引出し部の内部に導かれているので、吸塵パイプ５２内の空気は吸塵口５１からの導入方向に対し反対方向に方向転換するよう流動されるから、吸塵パイプ５２の内部における方向転換箇所には大きな塵埃が滞留し易い欠点もある。
【０００５】
一方、前記前方開放型作業ボックスは、上述したように研磨作業や切削作業時に発生する塵埃を飛散することなく効果的に集めて外部に排出できるものであるが、この前方開放型作業ボックスを効果的に使用するには、排出される塵埃を効果的に捕捉するための集塵機が必要となる。
【０００６】
本発明は、前記従来の課題に鑑みてなされたもので、作業により発生した研磨粉や切削屑のような塵埃を袋状のフィルター本体内部に確実に満杯になるように効果的に捕捉することのできるフィルター・ユニットとそれを備えた集塵機および作業台を提供することを目的とするものである。
【課題を解決するための手段】
【０００７】
上記目的を達成するために、本発明に係るフィルター・ユニットは、上下方向に延びる袋状のフィルター本体と、このフィルター本体の上部に設けられて空気を袋の内方空間に吸入するための吸塵パイプを挿入させる入口開口が設けられた入口部とを有している。前記入口部は、前記フィルター本体に固定されて前記入口開口を開く方向に保持する入口保持部材を有し、この入口保持部材に、前記フィルター本体を吊り下げ状態に保持させるための係止部が形成されている。
【０００８】
このフィルター・ユニットによれば、袋状のフィルター本体の入口保持部材に設けられた係止部によってフィルター本体が吊り下げられた状態で保持されるから、入口部からフィルター本体内部に導入された塵埃が、自重により吊り下げ状態のフィルター本体の底部に向け自然落下するので、フィルター本体内に導入された塵埃が、フィルター本体の底部に送られて底部から上方に向け順次堆積されていく。そのため、フィルター本体における塵埃が堆積されている箇所よりも上方の部分には、目詰まりが生じるおそれがなく、フィルター本体内に塵埃を満杯になるまで確実に集塵することができる。
【０００９】
また、フィルター本体の入口部には、入口開口を開く方向に保持する入口保持部材が設けられ、この入口保持部材に、フィルター本体を吊り下げ状態に保持させるための係止部が形成されているから、入口保持部材を変形させることにより、入口保持部材の係止部を、例えば支持台のフィルター係止用ハンガに容易に係脱することができるから、フィルター本体の着脱をワンタッチ操作で行うことができる利点がある。
【００１０】
本発明の好ましい実施形態に係るフィルター・ユニットは、さらに、前記入口部が、前記入口保持部材と前記フィルター本体との間に介挿されて前記挿入される吸塵パイプの外周面と前記入口開口との間をシールするシール部材を有している。この構成によれば、吸塵パイプをフィルター本体の入口開口に挿入させた状態でフィルター本体を吊り下げた際に、フィルター本体の入口開口と吸塵パイプの外周面との間がシール部材で隙間無くシールされるので、吸塵パイプを通って送られてきた塵埃がフィルター本体の入口開口から外部に飛散することなくフィルター本体の内部に確実に導入される。
【００１１】
本発明の他の好ましい実施形態に係るフィルター・ユニットでは、前記入口保持部材の前部の左右両側に、手でつかむ握持部が形成されている。この構成によれば、フィルター・ユニットを、入口保持部材の前部左右両側の一対の握持部を手でつかんで保持しながら取り扱えるので、フィルター・ユニットの取扱いが容易になる。
【００１２】
本発明に係る集塵機は、前記構成のフィルター・ユニットと、このフィルター・ユニットの入口開口に挿入されてフィルター本体の内外にわたって延びる吸塵パイプと、前記フィルター本体の下方から空気を吸引する吸引機とを備えている。
【００１３】
この構成によれば、入口部からフィルター本体に導入された塵埃が、自重により自然落下するのに加えて、吸引機の駆動によりフィルター本体の下方に向け空気が強制的に吸引されるから、フィルター本体の底部に向け確実に送られて底部に堆積される。また、吸塵パイプがフィルター本体の入口開口から内部に挿入されることから、導入空気の大きな流速を狭い通路面積の吸塵パイプの排出口まで維持できるので、吸塵パイプを使用しない場合と比べて、吸塵パイプにおけるフィルター本体内部の挿入長さ分だけフィルター本体内部の空気の流速を高めることができる。しかも、フィルター本体は、底部に塵埃が溜まって重くなると、上部の入口部が閉じようとするが、この入口部に吸塵パイプが挿入されているために、入口部が閉じるのが防止され、塵埃が円滑にフィルター本体内に導入される。
【００１４】
本発明の好ましい実施形態に係る集塵機は、前記吸塵パイプにおける前記フィルター本体の幅方向に対向する両側部にパイプ軸心方向に延びるスリットが形成されている。この構成によれば、フィルター本体内部に底部から順次堆積する塵埃の上面が吸塵パイプの排出口に達して、その塵埃によって排出口が塞がれても、吸塵パイプ内の空気がスリットを通ってフィルター本体内部の幅方向に対向する両側部に向け吹き出される。これにより、フィルター本体内に塵埃を満杯になるまで確実に集塵することができる。
【００１５】
本発明の他の好ましい実施形態に係る集塵機は、フィルター・ユニットの係止部が係脱自在に係止されるフィルター係止用ハンガを備えている。この構成によれば、フィルター・ユニットの係止部を、フィルター係止用ハンガに係脱自在に係止するだけの簡単な操作で容易、かつ、迅速に取り付けおよび取り外しできる。
【００１６】
この実施形態に係る集塵機において、前記係止部は前後一対設けられており、前記フィルター係止用ハンガは、下端に前記係止部が前記入口保持部材の復元力により係止される前後のフック部を有するボディと、前記ボディに回動自在に支持された前後一対の第１および第２スイングプレートとを有し、前記第１スイングプレートに、作動方向に操作力を受けて第１スイングプレートを回動させることにより前側の係止部を前側のフック部から離脱させる操作部が設けられ、前記第２スイングプレートに、前記第１スイングプレートの作動方向への回動により回動力を受けて後側の係止部を後側の前記フック部から離脱させる連動部が設けられていることが好ましい。
【００１７】
この構成によれば、塵埃が満杯となったフィルター・ユニットをフィルター係止用ハンガから取り外すに際して、前側の第１スイングプレートに、例えば押圧操作により作動方向に操作力を付与して回動させると、この回動に伴って第１スイングプレートの操作部がフィルター・ユニットの前側の係止部をフィルター係止用ハンガのボディの前側のフック部から離脱させるとともに、後側の第２スイングプレートが、第１スイングプレートの作動方向への回動により回動力を受けて回動し、この回動に伴って第２スイングプレートの連動部がフィルター・ユニットの後側の係止部をフィルター係止用ハンガのボディの後側のフック部から離脱させる。したがって、前側の第１スイングプレートに操作力を付与するだけの簡単なワンタッチ操作を行うのみで、フィルター・ユニットを集塵機から容易に取り外すことができ、フィルター・ユニットに対しこれの狭い後方側へ手を入れて係止部をハンガから取り外す面倒な作業が解消される。
【００１８】
また、前記第２スイングプレートによる後側の係止部の離脱が前記第１スイングプレートによる前側の前記係止部の離脱と同時またはこれよりも早く生じるように設定されていることが好ましい。この構成によれば、前側の係止部が前側フック部から外れたのちに後側の係止部が後側フック部に引っ掛かって離脱しない事態が生じるおそれが無いから、フィルター・ユニットにおける手を入れ難い後側へ手を入れて引っ掛かった後側の係止部を後側フック部から取り外すといった面倒な作業を行う必要がなくなる。
【００１９】
本発明に係る作業台は、作業プレートと、前記作業プレート上の空気を導入する導入通路と、上記構成の集塵機とを備え、この集塵機の吸塵パイプが前記導入通路の出口に連結されている。
【００２０】
この構成によれば、上記導入通路の出口に前記集塵機の吸塵パイプが連結されていることにより、フィルター本体の内部が導入通路に連通するので、研磨作業や切削作業が行われる作業プレート上に発生する塵埃を周囲に飛散させることなく、フィルター本体の内部に効率的に導入することができる。
【発明の効果】
【００２１】
本発明によれば、研磨粉や切削屑のような塵埃を袋状のフィルター本体の内部に確実に満杯になるように効果的に捕捉することができる。
【発明を実施するための最良の形態】
【００２２】
以下、本発明の好ましい実施形態について図面を参照しながら説明する。
【００２３】
図１は本発明の第１実施形態に係る集塵機付き作業台を示す切断側面図である。この作業台１００は、その上で研磨作業や切削作業を行うための作業プレート１と、の作業プレート１上の空気Ａを導入する略Ｌ字形状の空気導入パイプ（導入通路）２と、この空気導入パイプ２の出口に連結された空気吸入用の吸塵パイプ３と、この吸塵パイプ３が入口開口から内部に挿入されて吊り下げ状態に保持されるフィルター・ユニット４と、このフィルター・ユニット４が係止される前後一対のフック部７０，７０を有するフィルター係止用ハンガ７と、前記フィルター・ユニット４の下方から空気Ａを吸引する吸引機８とを備えている。作業プレート１、吸塵パイプ３およびフィルター係止用フック７は、フレームＦに一体形成されている。
【００２４】
前記作業プレート１上には、例えば上述した特許文献１に記載の前方開放型作業ボックス９が設置される。このとき、この作業ボックス９の後部（図１の左側）から突設されたボックス排出口９ａが空気導入パイプ２の入口２ａに連結される。この前方開放型作業ボックス９は、前方（図１の右方）が開放されて、作業者が両側（図１の表裏側）から両手を差し入れて研磨作業や切削作業を行うようになっており、その作業に伴い発生する塵埃がボックス排出口９ａから空気導入パイプ２内に導入される。
【００２５】
作業プレート１は偏平なボックスとなっており、内部に引出し５が前後に出し入れ可能に収納されている。フレームＦには、フィルター・ユニット４が吊り下げ状態に着脱自在に取り付けられるフィルター収納室１１が形成されており、このフィルター収納室１１の後面に開閉扉１２が取り付けられている。フィルター収納室１１の内部には、吊り下げ状態に取り付けられたフィルター・ユニット４の下端部を載置させて補助的に支持するフィルター支持板１３が設けられている。前記吸引機８は、吸引ファン１４とこれを駆動するモータ１７とを備えており、フレームＦの下部に支持されている。吸引ファン１４の上方箇所には、フィルター収納室１１に連通して、フィルター収納室１１内の空気Ａを吸引するための空気吸引通路１８が設けられ、吸引機８の後方には、吸引機８が吸引した空気Ａを外部に排出するための空気排出通路１９が設けられている。前記吸塵パイプ３、フィルター・ユニット４、フィルター収納室１１、空気吸引通路１８および吸引機８が、集塵機１０を構成する。
【００２６】
また、フレームＦの下部には、冷却用空気Ａ１をモータ１７内に吸引するための冷却空気取入口２０と、冷却後の空気Ａ１を空気排出通路１９に排出するための空気排出口２１とが設けられている。この作業台１００は、フレームＦの下部に設けた複数のキャスタ２２により移動可能になっている。
【００２７】
つぎに、前記フィルター・ユニット４について説明する。図７に示すように、前記フィルター・ユニット４のフイルタ本体４ａは、樹脂製のフイルタ濾材の全周部、つまり上端部４１、両側部４２および下端部４３を、縫着、溶着または接着の何れかの接合手段で封止されて、前後方向Ｔから見て長方形状の外形を有し、かつ前後方向Ｔの厚みが小さい偏平な袋状に形成されている。フィルター本体４ａは、図示を省略しているが、内側に配置される粗い網目のフィルター濾材と外側に配置される細かい網目の不織布などのフィルター濾材との複数種類のフィルター濾材を重ね合わせて構成されている。フィルター本体４ａにおける長さ方向（上下方向）Ｌの一端部である上端部４１には、吸塵パイプ３がフィルター本体４ａの内外にわたって延びるように挿入される入口部４ｂが、幅方向Ｗ、つまり左右方向の中央部に設けられている。つぎに、前記入口部４ｂの構成について説明する。
【００２８】
図３に示すように、前記フィルター・ユニット４の入口部４ｂは、弾性を有する素材、例えばポリプロピレン（ＰＰ）からなる入口保持部材２３が、ラバースポンジからなるシール部材２４を介在してフィルター本体４ａにリベットまたは両面テープによる接着などの結合手段で固着された構成になっている。フィルター本体４ａ、シール部材２４および入口保持部材２３には、それぞれ吸塵パイプ３を挿通させるための挿通孔４ｃ，２４ａ，２３ｂが形成されている。これらの挿通孔４ｃ，２４ａ，２３ｂは、互いに重合されて、フィルター・ユニット４の入口開口６を形成している。
【００２９】
図４に示すように、入口保持部材２３は、正面視で矩形状の外形を有し、フィルター本体４ａの幅方向Ｗに対応して形成された折線２３ａに沿ってフィルター本体４ａ側へ折り曲げた状態で、周縁部がフィルター本体４ａに接合されている。したがって、弾性を有する素材で形成された入口保持部材２３は、フィルター本体４ａに対し、自己の復元力によって入口開口６を開く方向に保持している。入口保持部材２３における折線２３ａに平行に対向する両端辺、つまりフィルター本体４ａの厚さ方向の両端辺から突設された係止片２３ｃは、フィルター本体４ａに固着されておらず、フィルター本体４ａから離間して、図１のフィルター係止用ハンガ７に係止される。
【００３０】
図４の入口保持部材２３の折線２３ａの中央部に形成された挿通孔２３ｂは、吸塵パイプ３の外径よりも僅かに大きな直径を有する円孔状に形成され、入口保持部材２３を若干折り曲げた図３の状態で吸塵パイプ３を挿通させることが可能な寸法に設定されている。フィルター本体４ａの挿通孔４ｃは図４に示す入口保持部材２３の挿通孔２３ｂと同一径の円孔状に形成されているが、シール部材２４の挿通孔２４ａは、前記挿通孔４ａ，２３ｂに対し僅かに直径の小さい円孔状に形成されている。これにより、吸塵パイプ３をフィルター・ユニット４の入口開口６に挿入した際には、シール部材２４の挿通孔２４ａの孔縁部が吸塵パイプ３の外周面に接触して、吸塵パイプ３の外周面と入口開口６との間を隙間無くシールする。
【００３１】
前記吸塵パイプ３は、図２に示すように、フィルター本体４ａ内に位置するフィルター内方部３１の先端部３１ａがパイプ軸心に対して斜め方向に切断されて楕円形状の排出口３ａが形成されている。この切断面は、前方から後方に向かって下方へ傾斜している。ここで、フィルター・ユニット４および吸塵パイプ３を含む集塵機１０については、開閉扉１２から見た方向を前後方向とする。したがって、図２および図３では左側が前側となっており、図１の作業台１００全体の前後方向とは逆になる。前記フィルター内方部３１におけるハンガ７に係止された状態でのフィルター・ユニット４の幅方向Ｗに対向する両側箇所、つまり、左右方向の両側箇所に、排出口３ａからパイプ軸心方向に沿って上方へ延びる一対のスリット３ｂが形成されている。吸塵パイプ３のフィルター外方部３２の先端（上端）は、パイプ軸心と直交する方向に切断されている。
【００３２】
つぎに、前記集塵機付き作業台１００の取扱いおよび作用について説明する。この作業台１００に使用される使い捨て形態のフィルター・ユニット４は、販売流通過程や使用前において、図７に示すように、弾性を有する入口保持部材２３を強制的に二つ折り状態とすることにより、偏平な状態で図７の左右方向に積み重ねて嵩低くして取り扱うことができるから、管理や取扱いが容易となる。また、このフィルター・ユニット４は、製作に際して、入口保持部材２３を二つ折り状態に保持してフィルター本体４ａの周縁部４１〜４３の溶着作業を行えることから、溶着作業が容易になる。これに対し、比較のために図１２（ｂ）に示した従来の集塵作業に使用されるフィルター５７は、折り曲げできない比較的大きな入口部５６を設けているから、嵩高くなって収納スペースが大きくなる。
【００３３】
研磨作業や切削作業を行うに際しては、図１の開閉扉１２を開いて、フィルター・ユニット４を、フレームＦに固定されたフィルター係止用ハンガ７の一対のフック部７０，７０に係止して吊り下げ状態に取り付ける。その際、フレームＦに固定された吸塵パイプ３を図３のフィルター・ユニット４の各挿通孔４ｃ，２４ａ，２３ｂからなる入口開口６に挿入させながら、入口保持部材２３を一対のフック部７０，７０間に下方から挿入していくことにより、図２に示す入口保持部材２３の外面が一対のフック部７０，７０の先端に接触しながら二つ折りに閉じる方向に曲げられていき、入口保持部材２３の両側の係止片２３ｃ，２３ｃの先端がフック部７０，７０の先端の上方に達した時点で、図５（ａ）に示すように、入口保持部材２３が復元力により矢印で示すように開き、かつフィルター・ユニット４が僅かに下降して、図５（ｂ）に示すように、両係止片２３ｃ，２３ｃがフック部７０，７０に自動的に係止し、フィルター・ユニット４がフィルター係止用ハンガ７に取り付けられる。したがって、フィルター・ユニット４をワンタッチ操作で作業台１００に着脱自在に取り付けることができる。
【００３４】
また、フィルター・ユニット４の取り付けに際しては、吸塵パイプ３の先端部３１ａが斜めに切断されて尖った形状になっているので、この先端部３１ａをガイドとしてフィルター・ユニット４の入口開口６に吸塵パイプ３を容易に挿入させることができる。特に、吸塵パイプ３の先端部３１ａが、吸塵パイプ３の外径よりも若干直径が小さいシール挿通孔２４ａを押し拡げながら、シール部材２４を円滑に通過する。そして、フィルター・ユニット４がフィルター係止用ハンガ７に係止されたときには、シール挿通孔２４ａの孔縁部が、自身の弾性力による変形によって、図５（ｂ）の吸塵パイプ３の外周面に隙間無く接触して、吸塵パイプ３の外周面とフィルター・ユニット４の入口開口６との間をシールする。そのため、作業時に吸塵パイプ３内を通って送られてくる塵埃は、フィルター収納室１１内に飛散することなく、フィルター・ユニット４内に確実に導入される。
【００３５】
上述のようにしてフィルター・ユニット４をフィルター係止用ハンガ７に係止したのち、図１の開閉蓋１２を閉じて吸引機８を駆動させる。この状態で作業者が前方開放型作業ボックス９を使用して研磨作業や切削作業を行う。この作業に伴い発生する塵埃は、吸引機８が発生する空気吸引力により、空気Ａと共に作業ボックス９の排気口９ａから空気導入パイプ２内に導入されたのち、図２の吸塵パイプ３の排出口３ａおよびスリット３ｂからフィルター・ユニット４の内部に導入される。このフィルター・ユニット４内に導入された塵埃はフィルター本体４ａ内部に捕捉され、空気Ａのみが、図１の空気吸引通路１８、吸引機８および空気排出通路１９を通って外部に排出される。図１では、吸引時に膨れたフィルター本体４ａを２点鎖線で示してある。
【００３６】
前記作業時には、フィルター本体４ａ内部に導入された塵埃が、自重により、吊り下げ状態のフィルター本体４ａの底部に向け自然落下するのに加えて、吸引機８の駆動によりフィルター本体４ａの下方に向け空気Ａが強制的に吸引されるから、フィルター本体４ａ内の塵埃２７が、フィルター本体４ａの底部に向け確実に送られて、底部から上方に向け順次堆積していく。そのため、フィルター本体４ａにおける塵埃が堆積されている箇所以外の部分は、目詰まりしないから、フィルター本体４ａの濾過機能を確実に保持しながら集塵作業を効率的に継続することができる。特に、歯科用の塵埃は、家庭用ごみとは異なり、金属のような重い物質を含むので、自重によりフィルター本体４ａの底部に円滑に堆積される。
【００３７】
また、吸塵パイプ３をフィルター・ユニット４の入口開口６に挿入させてフィルター・ユニット４における入口保持部材２３の係止片２３ｃをフィルター係止用ハンガ７に係止することにより、フィルター本体４ａの内部を空気導入パイプ２に連通させることができるので、研磨作業や切削作業が行われる作業プレート１上に発生する塵埃２７を周囲に飛散させることなく、フィルター本体４ａ内部に効率的に導入することができる。さらに、フィルター本体４ａは、底部に塵埃２７が溜まって重くなると、上部の入口部４ｂが閉じようとするが、この入口部４ｂに吸塵パイプ３が挿入されているために、入口部４ｂが閉じるのが吸塵パイプ３によって防止され、塵埃２７が円滑にフィルター本体４ａ内に導入される。
【００３８】
また、吸塵パイプ３がフィルター・ユニット４の入口開口６から内部に挿入されるので、導入空気Ａの大きな流速を、狭い通路面積の吸塵パイプ３の排出口３ａまで維持できるから、吸塵パイプ３を使用しない場合と比べて、吸塵パイプ３におけるフィルター・ユニット４内部の挿入長さ分、つまり、パイプ内方部３１の長さ分だけ、フィルター本体４ａ内部の空気Ａの流速を高めることができる。その結果、フィルター本体４ａ内部に導入された塵埃２７を一層確実にフィルター本体４ａの底部に向けて落とすことができ、フィルター本体４ａの目詰まり発生をさらに効果的に防止できる。換言すれば、吸引機８として容量の小さいものを用いても、フィルター本体４ａの目詰まり発生を防止して効率的に集塵作用を行うことができる。
【００３９】
さらに、フィルター・ユニット４は、内部に堆積される塵埃２７により、フィルター・ユニット４の自重が大きくなっていくのに伴い、入口保持部材２３に対し開く方向への負荷が増大していくので、係止片２３ｃとハンガ７のフック部７０との係止が外れるおそれがない。そのため、係止片２３ｃとフック部７０とは共に小さな形状とすることができ、これにより、フィルター・ユニット４のハンガ７への着脱操作が容易となる。
【００４０】
そして、図６に２点鎖線で示すように、フィルター本体４ａ内部に底部から順次堆積する塵埃２７の上面２７ａが吸塵パイプ３の排出口３ａに達して、塵埃２７によって排出口３ａが塞がれた場合には、吸塵パイプ３内を送給されてきた空気Ａが、一対のスリット３ｂを通ってフィルター本体４ａ内部の幅方向Ｗに対向する左右両側部、つまりフィルター本体４ａ内部における吹き出す空気Ａの抵抗が少ない箇所に向けて吹き出される。これにより、フィルター・ユニット４内に塵埃２７が満杯になるまで確実に集塵作用が継続されることになる。フィルター・ユニット４内部に塵埃２７が満杯になったときには、図１の開閉扉１２を開いたのち、入口保持部材２３を図５（ａ）に示す閉じる方向Ｐに変形させながら僅かに上方に持ち上げて、入口保持部材２３の一対の係止片２３ｃの先端がフック部７０の先端から離れた時点でフィルター・ユニット４を下動させることにより、フィルター・ユニット４をフック部７０から取り外すことができる。すなわち、フィルター・ユニット４の取り外しもワンタッチ操作で行うことができる。
【００４１】
なお、前記第１実施形態では、図１の作業プレート１上に前方開放型作業ボックス９を設置して作業を行う場合を例示して説明したが、作業プレート１上の空気を吸引する機能を備えているので、ボックスやカプセルなどを設置することなく作業プレート１上で研磨作業や切削作業を行っても、発生する塵埃２７をフィルター・ユニット４内に集塵することができる。
【００４２】
つぎに、本発明の第２実施形態に係る集塵機について説明する。この集塵機は、図１の集塵機１０におけるフレームＦに固定された固定型のフィルター係止用ハンガ７に代えて、図８に示す可動型のフィルター係止用ハンガ７Ａを用いており、他の構成は第１実施形態と同様である。このフィルター係止用ハンガ７Ａは、下端に前後のフック部３７ａ，３８ａを有するボディ２９と、このボディ２９に回動自在に支持された前後一対の第１および第２スイングプレート３０，３３とを備えている。前側フック部３７ａは左右一対設けられている。
【００４３】
前記ボディ３３は、水平の配置でフレームＦ（図１）に固定される取付板部３４と、この取付板部３４の前後端（図の左右端）を下方に向け直角に折り曲げて形成された前板部３７および後板部３８と、取付板部３４の左右両端（図の前後両端）を下方に向け直角に折り曲げて形成された左側取付片３９および右側取付片４０とを一体に備えている。取付板部３４の中央部には、吸塵パイプ３を挿通させる挿通孔３４ａが形成されている。前板部３７には、下端中央部に矩形状の切欠き３７ｂが形成され、その切欠き３７ｂの左右両側から二つの幅狭の前側フック部３７ａが内方に向け突設されている。後板部３８には、下端中央部から幅広の後側フック部３８ａが内方に向け突設されている。左右両側の取付片３９，４０の前後両端部には、後述する取付軸４５Ａ，４５Ｂの挿通孔３９ａ、４０ａが形成されている。
【００４４】
前板部３７の上下方向の長さＬ１は、前記後板部３８の上下方向の長さＬ２よりも若干短く形成されている。また、前側フック部３７ａおよび後側フック部３８ａは、共に前板部３７および後板部３８に対する角度α１，α２（図９）が直角よりも僅かに大きな角度、例えば、１１０度に設定されて、内方に向け下り勾配に傾斜して突設されている。また、後側フック部３８ａは、前側フック部３７ａよりも僅かに小さな突出長さに設定されている。
【００４５】
前側の第１スイングプレート３０は、所定形状に打ち抜き加工された平板材を屈曲加工することにより、ボディ２９の前板部３７と略同じ上下方向の長さを有する操作部３５と、この操作部３５の上端から内方（後方）へ突出する作動板部３６と、前記操作部３５の下端から外方（前方）へ向け突設された略Ｌ字形状の押圧片部４４とが一体形成されている。操作部３５の下部には、ボディ２９の前板部３７の切欠き３７ｂよりも小さな幅に形成され、かつ、操作部３５から外方へ向かって折り曲げられた作動片３５ａが設けられている。この作動片３５の下端から外方の直交方向に延びる押圧板部４４は、作動片３５と同一の小さな幅に形成されて、ボディ２９の前板部３７の内方から切欠き３７ｂ内を挿通して前板部３７の外方へ突出できるようになっている。操作部３５と作動板部３６のなす角度β１（図９）は、直角よりも小さい、例えば７０度に設定されている。作動板部３６には、吸塵パイプ３を挿通させる切欠き３６ａが形成されている。
【００４６】
後側の第２スイングプレート３３は、所定形状に打ち抜き加工された平板材を屈曲加工することにより、ボディ２９の後板部３８の上下方向の長さよりも僅かに長い連動部４７と、この連動部４７の上端から内方へ向け突出する受動板部４８とが一体形成されている。連動部４７と受動板部４８のなす角度β２（図９）は、直角よりも小さい角度、例えば、７５度に設定されている。連動部４７の下部中央部分には、ボディ２９の後側フック部３７ａを挿通させる切欠き４７ｂが形成されているとともに、この切欠き４７ｂの両側部分に、外方へ向け小さな角度で折り曲げられた一対の作動片４７ａが設けられている。また、受動板部４８には、吸塵パイプ３を挿通させる切欠き４８ａが形成されている。
【００４７】
そして、図８に矢印で示すように、前記フィルター係止用ハンガ７Ａは、２本の取付軸４５Ａ，４５Ｂをそれぞれ、第１スイングプレート３０の操作部３５と作動板部３６との屈曲部分の内側および第２スイングプレート３３の連動部４７と受動板部４８との屈曲部分の内側に沿って当てがった状態で、前記ボディ２９の相対向する二つの挿通孔３９ａ，４０ａにそれぞれ挿通して、左側取付片３９および右側取付片４０の間に架け渡す各取付軸４５Ａ，４５Ｂの先端のねじ部にナット４６を螺合して締結することにより、第１および第２スイングプレート３０，３３が、取付軸４５Ａ，４５Ｂを支点として、ボディ２９に回動自在に支持されている。
【００４８】
また、図９（ａ）に示すように、第２スイングプレート３３の受動板部４８は第１スイングプレート３０の作動板部３６の上方に配置される。これにより、第２スイングプレート３３は、図９（ｂ）に示すように、第１スイングプレート３０の左回りの回動により回動力を受けて、受動板部４８がボディ２９の取付板部３４の下面に当接するまでの範囲内で回動可能になっている。このフィルター係止用ハンガ７Ａは、図９（ａ）に示すように、フィルター収納室１１内において、ボディ２９の取付板部３４の挿通孔３４ａに吸塵パイプ３を挿通させた状態で、取付板部３４をフレームＦにリベットなどで固定して取り付けられている。
【００４９】
図１０は、前記フィルター係止用ハンガ７Ａに係脱するのに適したフィルター・ユニット４の入口保持部材４９を示す。この入口保持部材４９は、弾性を有する樹脂のような素材により、平面視で矩形状の外形に形成され、その中央部に楕円形状の挿通孔４９ａが形成されている。この挿通孔４９ａは、若干折り曲げた図１１の状態で吸塵パイプ３を挿通させることが可能な円形となる。この挿通孔４９ａは、第１実施形態の図４に示したのと同様に、図９（ａ）のシール部材２４の挿通孔２４ａおよびフィルター本体４ａの挿通孔４ｃに重合されて、フィルター・ユニット４の入口開口６を形成する。
【００５０】
図１０に示す入口保持部材４９には、中央部に、フィルター本体４ａの幅方向Ｗ、つまり左右方向に延びる複数本（この実施形態では６本の場合を例示）の折り曲げ線４９ｂが形成され、この各折り曲げ線４９ｂに平行な両端辺、つまりフィルター本体４ａの厚さ方向（前後方向）Ｔの両端辺に、両端に設けた切欠き４９ｄによってその間に位置する比較的長い係止片４９ｃがそれぞれ形成され、さらに、係止片４９ｃの両端外方に、折線４９ｅを介して握持部４７ｆが内側に折り曲げ形成されている。この入口保持部材４９は、図１１に示すように、各折り曲げ線４９ｂに沿ってフィルター本体４ａ側（下方）へ折り曲げた状態で、係止片４９ｃおよび握持部４９ｆを除く周縁部がフィルター本体４ａに接合されている。したがって、この入口保持部材４９を有するフィルター・ユニット４においても、第１実施形態のものと同様に、販売流通過程や使用前において、弾性を有する入口保持部材４９を複数本の折り曲げ線４９ｂを介して強制的に二つ折り状態とすることにより、偏平な状態で積み重ねて嵩低くして取り扱うことができるから、管理や取扱いが容易である。
【００５１】
つぎに、前記フィルター係止用ハンガ７Ａを備えた集塵機１０の取扱いおよび作用について説明する。研磨作業や切削作業を行うに際して、図１１のフィルター・ユニット４をフィルター係止用ハンガ７Ａに係止して吊り下げ状態に取り付けるときには、入口保持部材４９の前側の一対の握持部４９ｆ，４９ｆを手でつかんでフィルター・ユニット４を保持し、図９（ａ）に示すフィルター・ユニット４の入口開口６に吸塵パイプ３を挿入させながら、入口保持部材４９をフィルター係止用ハンガ７Ａの前後一対のフック部３７ａ，３８ａの間に下方から挿入していく。
【００５２】
このとき、入口保持部材４９の外面が前後のフック部３７ａ，３８ａの先端に接触しながら二つ折りに閉じる方向に変形されていき、入口保持部材４９の前後の係止片４９ｃ，４９ｃの先端がフック部３７ａ，３８ａの先端の上方に達した時点で、変形された入口保持部材４９が自身の復元力により外側へ開くことにより、両係止片４９ｃ，４９ｃがフック部３７ａ，３８ａの上面に自動的に係止する。このようにして、フィルター・ユニット４がフィルター係止用ハンガ７Ａにワンタッチ操作で着脱自在に取り付けられる。
【００５３】
前記フィルター・ユニット４は、図１１に示す入口保持部材４９の前側の一対の握持部４９ｆ，４９ｆを手でつかみながら取り扱えるようになっているので、フィルター係止用ハンガ７Ａへの取付作業を容易に行うことができる。なお、図１０には、取付時のフィルター・ユニット４の前後方向の方向性を無くすために、前後方向Ｔの左右両端部に一対ずつの握持部４９ｆを有した入口保持部材４９を例示しているが、入口保持部材４９には前側のみに一対の握持部４９ｆを設てもよい。
【００５４】
また、フィルター・ユニット４の入口保持部材４９は、挿通孔４９ａの周囲に複数本の折り曲げ線４９ｂを設けているので、第１実施形態における図３の入口保持部材２３のように一本の折線２３ａを介して逆Ｖ字形状に折れ曲がるものと異なり、湾曲形状に容易に撓むとともに、大きな弾性力を有している。したがって、上述の取り付け時に変形される図９（ａ）の入口保持部材４９には、大きな弾性力に伴い強い復元力が発生するから、フック部３７ａ，３８ａがボディ２９の鉛直な前，後板部３７，３８から内方へ向け下り勾配に傾斜した形状に形成されているにも拘わらず、このフック部３７ａ，３８ａに対し係止片４９ｃ，４９ｃの先端が脱落しない状態に強く係止する。
【００５５】
また、後板部３８が前板部３７よりも上下方向の長さが長いことから、後側フック部３８ａが前側フック部３７ａよりも下方に位置しているので、フィルター・ユニット４のフィルター係止用ハンガ７Ａへの取り付け時に、フィルター・ユニット４の後側の係止片４９ｃが前側よりも先に後側フック部３８ａに係止される。これにより、前方から見え難く、かつ、手の届かない後側の係止片４９ｃの後側フック部３８ａへの係止の失敗を効果的に防止できる。
【００５６】
フィルター係止用ハンガ７Ａにフィルター・ユニット４が取り付けられた状態で、第２スイングプレート３３は、連動部４７が入口保持部材４９に接触して取付軸４５Ｂを中心に左回りに傾斜しており、これによって、受動板部４８の先端が第１スイングプレート３０の作動板部３６を取付軸４５Ａを中心に右回りに押圧して、第１スイングプレート３０自身の自重による左回りのモーメントと釣り合って、第１スイングプレート３０を図９（ａ）に示す位置に保持している。この状態で、第１スイングプレート３０は、押圧片部４４がボディ２９の切欠き３７ｂ（図８）を貫通して前板部３７よりも前方に突出している。
【００５７】
フィルター・ユニット４内部に塵埃２７が満杯になったときには、図１の開閉扉１２を開いたのち、図９（ｂ）に示すように、前側の第１スイングプレート３０の押圧片部４４を指で押す。これにより、第１スイングプレート３０は、フィルター・ユニット４を離脱させるための作動方向への操作力を受けて、取付軸４５Ａを支点に左回りに回動することにより、図９（ａ）の姿勢から同図（ｂ）の実線で図示する姿勢、さらには２点鎖線で図示する姿勢に移動する。
【００５８】
第１スイングプレート３０が回動したときには、これの作動板部３６が上方の第２スイングプレート３３の受動板部４８をはね上げるので、第２スイングプレート３３の連動部４７は、受動板部４８を介して第１スイングプレート３０の回動力を受けて、図９（ａ）の姿勢から同図（ｂ）の姿勢へと移動する。第１および第２スイングプレート３０，３３の各々の作動片３５ａ，４７ａは、回動に伴って共に内方に向け移動されるときに、フィルター・ユニット４を前後からそれぞれ押圧して入口保持部材４９を閉じる形状に変形させるので、入口保持部材４９の前後の係止片４９ｃ，４９ｃの先端がフック部３７ａ，３８ａの先端を離れた時点で、フィルター・ユニット４がフィルター係止用ハンガ７Ａから取り外される。したがって、このフィルター係止用ハンガ７Ａを用いた場合には、第１スイングプレート３０の押圧片部４４を指で押すだけの簡単なワンタッチ操作のみで、フィルター・ユニット４を迅速に取り外すことができ、フィルター・ユニット４に対しこれの狭い後方側へ手を入れて入口保持部材４９を変形させる取り外し作業が解消される。
【００５９】
また、ボディ２９の前後のフック部３７ａ，３８ａは共に内方に向け下り勾配に傾斜した形状に突設されているから、フィルター・ユニット４の取り外し時には、第１および第２スイングプレート３０，３３の各々の作動片３５ａ，４７ａに押圧されて変形する入口保持部材４９の前後の係止片４９ｃ，４９ｃが、フック部３７ａ，３８ａの上面に沿って抵抗少なく移動して、フック部３７ａ，３８ａから円滑に離脱する。これにより、フィルター・ユニット４の取り外しが一層容易となる。
【００６０】
さらに、第２スイングプレート３３の連動部４７は第１スイングプレート３０の操作部３５よりも長く、かつ、後側フック部３８ａが前側フック部３７ａよりも僅かに短いので、図９（ｂ）に示すように、第２スイングプレート３３の作動片４７ａの押圧による後側の係止片４９ｃの後側フック部３８ａからの離脱が、第１スイングプレート３０の作動片３５ａの押圧による前側の係止片４９ｃの前側フック部３７ａからの離脱よりも先に生じる。仮に、前側の係止片４９ｃの前側フック部３７ａからの離脱が後側よりも先に発生したときには、後側の係止片４９ｃが後側フック部３８ａに引っ掛かった状態で離脱しない事態が生じるおそれがあり、その場合、フィルター・ユニット４の後側へ手を入れ難いので、フィルター・ユニット４の取り外しが困難となることが考えるが、このような不具合の発生が、前記フィルター係止用ハンガ７Ａを用いることにより防止される。
【００６１】
なお、後側の係止片４９ｃの後側フック部３８ａからの離脱が前側の係止片４９ｃの前側フック部３７ａからの離脱とほぼ同時に生じるように設定しても、上述と同様の効果を得ることができる。要は、前側の係止片４９ｃの前側フック部３７ａからの離脱が後側よりも先に発生しないように設定すればよい。
【図面の簡単な説明】
【００６２】
【図１】本発明の第１実施形態に係る集塵機付き作業台を示す切断側面図である。
【図２】同上の作業台１００におけるフィルター・ユニットの取り付け部を示す斜視図である。
【図３】同上のフィルター・ユニットの入口部の縦断面図である。
【図４】同上のフィルター・ユニットの入口部の展開平面図である。
【図５】（ａ），（ｂ）はフィルター・ユニットの取り付け過程を順に示した縦断面図である。
【図６】同上のフィルター・ユニットの取り付け状態を示す正面図である。
【図７】同上のフィルター・ユニットの斜視図である。
【図８】本発明の第２実施形態に係る集塵機におけるフィルター係止用ハンガを示す分解斜視図である。
【図９】（ａ），（ｂ）は同上の集塵機におけるフィルター・ユニットの取り外し過程を順に示した縦断面図である。
【図１０】同上の集塵機に用いるフィルター・ユニットの入口保持部材を示す展開平面図である。
【図１１】同上の集塵機におけるフィルター・ユニットの取り付け部を示す斜視図である。
【図１２】（ａ）は従来の集塵機付き作業台の概略を示す切断側面図、（ｂ）は同作業台のフィルター・ユニットを示す斜視図である。
【符号の説明】
【００６３】
１  作業プレート
２  空気導入パイプ（導入通路）
３  吸塵パイプ
３ｂ  スリット
４  フィルター・ユニット
４ａ  フィルター本体
４ｂ  入口部
６  入口開口
７，７Ａ  フィルター係止用ハンガ
８  吸引機
１０  集塵機
２３  入口保持部材
２３ｃ  係止片（係止部）
２４  シール部材
２７  塵埃
２９  ボディ
３０  第１スイングプレート
３３  第２スイングプレート
３５  操作部
３７ａ，３８ａ，７０  フック部
４７  連動部
４９  入口保持部材
４９ｃ  係止片（係止部）
４９ｆ  握持部
Ａ  空気
Ｔ  前後方向
Ｗ  幅方向
【図１】
2005040939.tif 000003
【図２】
2005040939.tif 000004
【図３】
2005040939.tif 000005
【図４】
2005040939.tif 000006
【図５】
2005040939.tif 000007
【図６】
2005040939.tif 000008
【図７】
2005040939.tif 000009
【図８】
2005040939.tif 000010
【図９】
2005040939.tif 000011
【図１０】
2005040939.tif 000012
【図１１】
2005040939.tif 000013
【図１２】
2005040939.tif 000014